(57)【特許請求の範囲】
【請求項１】
定着部材と、前記定着部材に圧接される加圧部材と、前記定着部材を加熱する複数のハロゲンランプヒーターと、を備える定着装置であって、
前記定着部材の温度を検出する温度検出部と、
前記複数のハロゲンランプヒーターのうち少なくとも一つの第１ハロゲンランプヒーターに対して、前記温度検出部により検出された温度に基づき出力Ｄｕｔｙを算出し、当該出力Ｄｕｔｙに従って交流波形の半波毎に通電又は遮断を行う半波制御を行い、前記複数のハロゲンランプヒーターのうち前記第１ハロゲンランプヒーター以外の第２ハロゲンランプヒーターに対して、オンオフ制御を行う制御部と、を備え、
前記第１ハロゲンランプヒーター及び前記第２ハロゲンランプヒーターは、封入されるハロゲンガスの濃度に基づき設定される基準電圧が、
第１ハロゲンランプヒーターの基準電圧＜第２ハロゲンランプヒーターの基準電圧
を満たし、
前記制御部は、前記温度検出部により検出された前記定着部材の温度と、予め設定された目標温度とにより、前記出力Ｄｕｔｙを算出し、
算出された前記出力Ｄｕｔｙと前記第１ハロゲンランプヒーターの定格電圧とから実効電圧を算出し、
算出された前記実効電圧が前記第１ハロゲンランプヒーターの前記基準電圧よりも高い場合、算出された前記出力Ｄｕｔｙでの半波制御を行い、
算出された前記実効電圧が前記第１ハロゲンランプヒーターの前記基準電圧よりも低い場合、前記温度検出部により検出された温度変化に基づいて、当該温度変化が上昇傾向か下降傾向かを判断し、
上昇傾向の場合には、前記出力Ｄｕｔｙを０とし、下降傾向の場合には、前記第１ハロゲンランプヒーターの前記基準電圧に相当する出力Ｄｕｔｙでの半波制御を行うことを特徴とする定着装置。
【請求項２】
定着部材と、前記定着部材に圧接される加圧部材と、前記定着部材を加熱する複数のハロゲンランプヒーターと、を備える定着装置であって、
前記定着部材の温度を検出する温度検出部と、
前記複数のハロゲンランプヒーターのうち前記定着部材の軸方向端部を加熱する少なくとも一つの端部ハロゲンランプヒーターと、前記定着部材の軸方向中央部を加熱する少なくとも一つの中央部ハロゲンランプヒーターとに対して、前記温度検出部により検出された温度に基づき出力Ｄｕｔｙを算出し、当該出力Ｄｕｔｙに従って交流波形の半波毎に通電又は遮断を行う半波制御を行う制御部と、を備え、
前記端部ハロゲンランプヒーター及び前記中央部ハロゲンランプヒーターは、封入されるハロゲンガスの濃度に基づき設定される基準電圧が、定格電圧より低く、かつ、
端部ハロゲンランプヒーターの基準電圧＜中央部ハロゲンランプヒーターの基準電圧
を満たし、
前記制御部は、前記温度検出部により検出された前記定着部材の温度と、予め設定された目標温度とにより、前記出力Ｄｕｔｙを算出し、
算出された前記出力Ｄｕｔｙと、前記端部ハロゲンランプヒーター又は前記中央部ハロゲンランプヒーターの定格電圧とから実効電圧を算出し、
算出された前記実効電圧が前記端部ハロゲンランプヒーター又は前記中央部ハロゲンランプヒーターの前記基準電圧よりも高い場合、算出された前記出力Ｄｕｔｙでの半波制御を行い、
算出された前記実効電圧が前記端部ハロゲンランプヒーター又は前記中央部ハロゲンランプヒーターの前記基準電圧よりも低い場合、前記温度検出部により検出された温度変化に基づいて、当該温度変化が上昇傾向か下降傾向かを判断し、
上昇傾向の場合には、前記出力Ｄｕｔｙを０とし、下降傾向の場合には、前記端部ハロゲンランプヒーター又は前記中央部ハロゲンランプヒーターの前記基準電圧に相当する出力Ｄｕｔｙでの半波制御を行うことを特徴とする定着装置。
【請求項３】
定着部材と、前記定着部材に圧接される加圧部材と、前記定着部材を加熱する複数のハロゲンランプヒーターと、を備える定着装置であって、
前記定着部材の温度を検出する温度検出部と、
前記複数のハロゲンランプヒーターのうち前記定着部材の軸方向において互いに重複して加熱する領域を有する第３ハロゲンランプヒーター及び第４ハロゲンランプヒーターに対して、前記温度検出部により検出された温度に基づき出力Ｄｕｔｙを算出し、当該出力Ｄｕｔｙに従って交流波形の半波毎に通電又は遮断を行う半波制御を行う制御部と、を備え、
前記第３ハロゲンランプヒーターにおいて最も頻繁に出力する前記出力Ｄｕｔｙが、前記第４ハロゲンランプヒーターにおいて最も頻繁に出力する前記出力Ｄｕｔｙよりも小さい場合、
前記第３ハロゲンランプヒーター及び前記第４ハロゲンランプヒーターは、封入されるハロゲンガスの濃度に基づき設定される基準電圧が、定格電圧より低く、かつ、
第３ハロゲンランプヒーターの基準電圧＜第４ハロゲンランプヒーターの基準電圧
を満たし、
前記制御部は、前記温度検出部により検出された前記定着部材の温度と、予め設定された目標温度とにより、前記出力Ｄｕｔｙを算出し、
算出された前記出力Ｄｕｔｙと、前記第３ハロゲンランプヒーター又は前記第４ハロゲンランプヒーターの定格電圧とから実効電圧を算出し、
算出された前記実効電圧が前記第３ハロゲンランプヒーター又は前記第４ハロゲンランプヒーターの前記基準電圧よりも高い場合、算出された前記出力Ｄｕｔｙでの半波制御を行い、
算出された前記実効電圧が前記第３ハロゲンランプヒーター又は前記第４ハロゲンランプヒーターの前記基準電圧よりも低い場合、前記温度検出部により検出された温度変化に基づいて、当該温度変化が上昇傾向か下降傾向かを判断し、
上昇傾向の場合には、前記出力Ｄｕｔｙを０とし、下降傾向の場合には、前記第３ハロゲンランプヒーター又は前記第４ハロゲンランプヒーターの前記基準電圧に相当する出力Ｄｕｔｙでの半波制御を行うことを特徴とする定着装置。
【請求項４】
請求項１から３のいずれか一項に記載の定着装置を備えることを特徴とする画像形成装置。
【発明の詳細な説明】
【技術分野】
【０００１】
本発明は、定着装置及び画像形成装置に関する。
【背景技術】
【０００２】
従来、用紙にトナーを付着させて画像を形成する画像形成部と、トナーが付着した用紙を加熱及び加圧してトナーを用紙に定着させる定着装置とを備えた画像形成装置が知られている。定着装置としては、ヒーターを内蔵した定着ローラーを含むローラー対のニップ部で用紙を加熱及び加圧するものや、上記定着ローラーに定着ベルトを張架し当該定着ベルトを介して用紙を加熱及び加圧するものがある。
【０００３】
加熱ローラーのヒーターとしては、通常、ハロゲンランプヒーター等が使用される。ハロゲンランプヒーターの制御としては、オンオフ制御が主流であるが、より細分化した通電を行うには位相制御を活用したオンオフの時間比率によるＤｕｔｙ制御が採用される。
【０００４】
そのような時間比率によるＤｕｔｙ制御としては、例えば、ハロゲンランプヒーターの色温度に基づいてケミカルアタックが発生しやすい時間Ｄｕｔｙを避けてハロゲンランプヒーターを点灯する制御（例えば、特許文献１参照）や、色温度から管内のハロゲンガス濃度の偏りを算出してケミカルアタックが発生しているか否かを判断し、ハロゲンガス濃度の偏りがなくなるようにハロゲンランプヒーターを点灯する制御（例えば、特許文献２参照）等が提案されている。しかしながら、時間比率によるＤｕｔｙ制御は交流電流を細かく細分化するため、雑音端子ノイズや高調波ノイズが発生し、そのノイズ対策回路や部品が複雑化するといった問題がある。
【０００５】
そこで、ハロゲンランプヒーターの更に別の制御方法として、交流波形の半波単位で通電又は遮断を行うことで、ハロゲンランプヒーターに印加される実効電圧が定格電圧と異なる半波制御が考えられる。
【先行技術文献】
【特許文献】
【０００６】
【特許文献１】特開２０１２−５３１４８号公報
【特許文献２】特開２０１２−６３６４４号公報
【発明の概要】
【発明が解決しようとする課題】
【０００７】
しかしながら、通常のハロゲンランプヒーターに対して上記した半波制御を行うと、実効電圧が定格電圧と異なっているために、ケミカルアタックが発生するおそれがある。
【０００８】
ここで、ハロゲンランプヒーターの内部においては、温度上昇によりタングステンフィラメントから気化したタングステンが、ハロゲンランプヒーター内に封入されたハロゲンガスと結合してタングステンハライドを生成し、当該タングステンハライドがフィラメントによって熱分解してフィラメント上にタングステンが沈着するというハロゲンサイクルが起きている。上記したケミカルアタックとは、低温のフィラメントからタングステンが気化しない状態において、ハロゲンガスがフィラメントのタングステンと直接反応し、タングステンハライドを形成して気化していくとともに、フィラメント温度が低いことでタングステンハライドを熱分解できず、タングステンがフィラメントに沈着することなくフィラメントが徐々に痩せ細る現象をいう。
【０００９】
そこで、本発明は、ハロゲンランプヒーターに対して半波制御を行う場合において、ケミカルアタックの発生を好適に抑制できる定着装置及びそれを備えた画像形成装置を提供することを目的としている。
【課題を解決するための手段】
【００１０】
以上の課題を解決するため、請求項１に記載の発明は、定着装置において、
定着部材と、前記定着部材に圧接される加圧部材と、前記定着部材を加熱する複数のハロゲンランプヒーターと、を備える定着装置であって、
前記定着部材の温度を検出する温度検出部と、
前記複数のハロゲンランプヒーターのうち少なくとも一つの第１ハロゲンランプヒーターに対して、前記温度検出部により検出された温度に基づき出力Ｄｕｔｙを算出し、当該出力Ｄｕｔｙに従って交流波形の半波毎に通電又は遮断を行う半波制御を行い、前記複数のハロゲンランプヒーターのうち前記第１ハロゲンランプヒーター以外の第２ハロゲンランプヒーターに対して、オンオフ制御を行う制御部と、を備え、
前記第１ハロゲンランプヒーター及び前記第２ハロゲンランプヒーターは、封入されるハロゲンガスの濃度に基づき設定される基準電圧が、
第１ハロゲンランプヒーターの基準電圧＜第２ハロゲンランプヒーターの基準電圧
を満たし、
前記制御部は、前記温度検出部により検出された前記定着部材の温度と、予め設定された目標温度とにより、前記出力Ｄｕｔｙを算出し、
算出された前記出力Ｄｕｔｙと前記第１ハロゲンランプヒーターの定格電圧とから実効電圧を算出し、
算出された前記実効電圧が前記第１ハロゲンランプヒーターの前記基準電圧よりも高い場合、算出された前記出力Ｄｕｔｙでの半波制御を行い、
算出された前記実効電圧が前記第１ハロゲンランプヒーターの前記基準電圧よりも低い場合、前記温度検出部により検出された温度変化に基づいて、当該温度変化が上昇傾向か下降傾向かを判断し、
上昇傾向の場合には、前記出力Ｄｕｔｙを０とし、下降傾向の場合には、前記第１ハロゲンランプヒーターの前記基準電圧に相当する出力Ｄｕｔｙでの半波制御を行うことを特徴とする。
【００１２】
請求項２に記載の発明は、定着装置において、
定着部材と、前記定着部材に圧接される加圧部材と、前記定着部材を加熱する複数のハロゲンランプヒーターと、を備える定着装置であって、
前記定着部材の温度を検出する温度検出部と、
前記複数のハロゲンランプヒーターのうち前記定着部材の軸方向端部を加熱する少なくとも一つの端部ハロゲンランプヒーターと、前記定着部材の軸方向中央部を加熱する少なくとも一つの中央部ハロゲンランプヒーターとに対して、前記温度検出部により検出された温度に基づき出力Ｄｕｔｙを算出し、当該出力Ｄｕｔｙに従って交流波形の半波毎に通電又は遮断を行う半波制御を行う制御部と、を備え、
前記端部ハロゲンランプヒーター及び前記中央部ハロゲンランプヒーターは、封入されるハロゲンガスの濃度に基づき設定される基準電圧が、定格電圧より低く、かつ、
端部ハロゲンランプヒーターの基準電圧＜中央部ハロゲンランプヒーターの基準電圧
を満たし、
前記制御部は、前記温度検出部により検出された前記定着部材の温度と、予め設定された目標温度とにより、前記出力Ｄｕｔｙを算出し、
算出された前記出力Ｄｕｔｙと、前記端部ハロゲンランプヒーター又は前記中央部ハロゲンランプヒーターの定格電圧とから実効電圧を算出し、
算出された前記実効電圧が前記端部ハロゲンランプヒーター又は前記中央部ハロゲンランプヒーターの前記基準電圧よりも高い場合、算出された前記出力Ｄｕｔｙでの半波制御を行い、
算出された前記実効電圧が前記端部ハロゲンランプヒーター又は前記中央部ハロゲンランプヒーターの前記基準電圧よりも低い場合、前記温度検出部により検出された温度変化に基づいて、当該温度変化が上昇傾向か下降傾向かを判断し、
上昇傾向の場合には、前記出力Ｄｕｔｙを０とし、下降傾向の場合には、前記端部ハロゲンランプヒーター又は前記中央部ハロゲンランプヒーターの前記基準電圧に相当する出力Ｄｕｔｙでの半波制御を行うことを特徴とする。
【００１４】
請求項３に記載の発明は、定着装置において、
定着部材と、前記定着部材に圧接される加圧部材と、前記定着部材を加熱する複数のハロゲンランプヒーターと、を備える定着装置であって、
前記定着部材の温度を検出する温度検出部と、
前記複数のハロゲンランプヒーターのうち前記定着部材の軸方向において互いに重複して加熱する領域を有する第３ハロゲンランプヒーター及び第４ハロゲンランプヒーターに対して、前記温度検出部により検出された温度に基づき出力Ｄｕｔｙを算出し、当該出力Ｄｕｔｙに従って交流波形の半波毎に通電又は遮断を行う半波制御を行う制御部と、を備え、
前記第３ハロゲンランプヒーターにおいて最も頻繁に出力する前記出力Ｄｕｔｙが、前記第４ハロゲンランプヒーターにおいて最も頻繁に出力する前記出力Ｄｕｔｙよりも小さい場合、
前記第３ハロゲンランプヒーター及び前記第４ハロゲンランプヒーターは、封入されるハロゲンガスの濃度に基づき設定される基準電圧が、定格電圧より低く、かつ、
第３ハロゲンランプヒーターの基準電圧＜第４ハロゲンランプヒーターの基準電圧
を満たし、
前記制御部は、前記温度検出部により検出された前記定着部材の温度と、予め設定された目標温度とにより、前記出力Ｄｕｔｙを算出し、
算出された前記出力Ｄｕｔｙと、前記第３ハロゲンランプヒーター又は前記第４ハロゲンランプヒーターの定格電圧とから実効電圧を算出し、
算出された前記実効電圧が前記第３ハロゲンランプヒーター又は前記第４ハロゲンランプヒーターの前記基準電圧よりも高い場合、算出された前記出力Ｄｕｔｙでの半波制御を行い、
算出された前記実効電圧が前記第３ハロゲンランプヒーター又は前記第４ハロゲンランプヒーターの前記基準電圧よりも低い場合、前記温度検出部により検出された温度変化に基づいて、当該温度変化が上昇傾向か下降傾向かを判断し、
上昇傾向の場合には、前記出力Ｄｕｔｙを０とし、下降傾向の場合には、前記第３ハロゲンランプヒーター又は前記第４ハロゲンランプヒーターの前記基準電圧に相当する出力Ｄｕｔｙでの半波制御を行うことを特徴とする。
【００１６】
請求項４に記載の発明は、画像形成装置において、
請求項１から３のいずれか一項に記載の定着装置を備えることを特徴とする。
【発明の効果】
【００１７】
本発明によれば、ハロゲンランプヒーターに対して半波制御を行う場合において、ケミカルアタックの発生を好適に抑制できる定着装置及びそれを備えた画像形成装置を提供することができる。
【図面の簡単な説明】
【００１８】
【図１】画像形成システムの概略構成を示す図である。
【図２】画像形成装置の主要な機能構成を示すブロック図である。
【図３】画像定着部の構成を示す模式図である。
【図４】定着ローラーの内部構成を示す模式図である。
【図５】温度制御処理の一例を示すフローチャートである。
【発明を実施するための形態】
【００１９】
以下、本発明の定着装置及び画像形成装置に係る実施の形態を図面に基づいて説明する。
【００２０】
図１は、本発明の実施形態である画像形成装置１の概略構成を示す図である。図２は、画像形成装置１の主要な機能構成を示すブロック図である。
【００２１】
画像形成装置１は、ＣＰＵ１０１（Central Processing Unit）、ＲＡＭ１０２（Random Access Memory）及びＲＯＭ１０３（Read Only Memory）を有する制御部１０、記憶部１１、操作部１２、表示部１３、インターフェース１４、スキャナー１５、画像処理部１６、画像形成部１７、画像定着部１８及び搬送部１９等を備える。制御部１０は、バス２１を介して記憶部１１、操作部１２、表示部１３、インターフェース１４、スキャナー１５、画像処理部１６、画像形成部１７、画像定着部１８及び搬送部１９と接続されている。
【００２２】
ＣＰＵ１０１は、ＲＯＭ１０３又は記憶部１１に記憶されている制御用プログラムを読み出して実行し、各種演算処理を行う。
【００２３】
ＲＡＭ１０２は、ＣＰＵ１０１に作業用のメモリー空間を提供し、一時データを記憶する。
【００２４】
ＲＯＭ１０３は、ＣＰＵ１０１により実行される各種制御用のプログラムや設定データ等を格納する。なお、ＲＯＭ１０３に代えてＥＥＰＲＯＭ（Electrically Erasable Programmable Read Only Memory）やフラッシュメモリー等の書き換え可能な不揮発性メモリーが用いられても良い。
【００２５】
これらのＣＰＵ１０１、ＲＡＭ１０２及びＲＯＭ１０３を備える制御部１０は、上述の各種制御用プログラムに従って画像形成装置１の各部を統括制御する。例えば、制御部１０は、画像処理部１６に画像データに対する所定の画像処理を行わせて記憶部１１に記憶させる。また、制御部１０は、搬送部１９に用紙を搬送させ、記憶部１１に記憶された画像データに基づいて画像形成部１７により用紙に画像を形成させる。
【００２６】
記憶部１１は、ＤＲＡＭ（Dynamic Random Access Memory）等で構成され、スキャナー１５により取得された画像データや、インターフェース１４を介して外部から入力された画像データ等が記憶される。なお、これらの画像データ等はＲＡＭ１０２に記憶されても良い。
【００２７】
操作部１２は、操作キーや表示部１３の画面に重ねられて配置されたタッチパネル等の入力デバイスを備え、これらの入力デバイスに対する入力操作を操作信号に変換して制御部１０に出力する。
【００２８】
表示部１３は、ＬＣＤ（Liquid crystal display）等の表示装置を備え、画像形成装置１の状態や、タッチパネルへの入力操作の内容を示す操作画面等を表示する。
【００２９】
インターフェース１４は、外部のコンピューター、他の画像形成装置などとの間でデータの送受信を行う手段であり、例えば各種シリアルインターフェースのいずれかにより構成される。
【００３０】
スキャナー１５は、用紙に形成された画像を読み取り、Ｒ（赤）、Ｇ（緑）及びＢ（青）の色成分ごとの単色画像データを含む画像データを生成して記憶部１１に記憶させる。
【００３１】
画像処理部１６は、例えばラスタライズ処理部、色変換部、階調補正部、ハーフトーン処理部を備え、記憶部１１に記憶された画像データに各種画像処理を施して記憶部１１に記憶させる。
【００３２】
画像形成部１７は、記憶部１１に記憶された画像データに基づき、用紙に画像を形成する。画像形成部１７は、Ｃ（シアン）、Ｍ（マジェンタ）、Ｙ（イエロー）及びＫ（黒）の色成分に各々対応する４組の露光部１７１、感光体１７２及び現像部１７３を備えている。また、画像形成部１７は、転写体１７４及び２次転写ローラー１７５を備えている。
【００３３】
露光部１７１は、発光素子としてのＬＤ（Laser Diode）を備えている。露光部１７１は、画像データに基づいてＬＤを駆動し、帯電する感光体１７２上にレーザー光を照射、露光して感光体１７２上に静電潜像を形成する。現像部１７３は、露光された感光体１７２上に帯電する現像ローラーにより所定の色（Ｃ、Ｍ、Ｙ及びＫのいずれか）のトナー（色材）を供給して、感光体１７２上に形成された静電潜像を現像する。
Ｃ、Ｍ、Ｙ及びＫに対応する４つの感光体１７２上に各々Ｃ、Ｍ、Ｙ及びＫのトナーで形成された画像（単色画像）は、各感光体１７２から転写体１７４上に順次重ねられて転写される。これにより、転写体１７４上にＣ、Ｍ、Ｙ及びＫを色成分とするカラー画像が形成される。転写体１７４は、複数の転写体搬送ローラーに巻き回された無端ベルトであり、各転写体搬送ローラーの回転に従って回転する。
２次転写ローラー１７５は、転写体１７４上のカラー画像を、給紙トレイ２２又は外部に設けられる給紙装置から給紙された用紙上に転写する。詳しくは、用紙及び転写体１７４を挟持する２次転写ローラー１７５に所定の転写電圧が印加されることにより、転写体１７４上においてカラー画像を形成しているトナーが用紙側に引き寄せられて用紙に転写される。
【００３４】
画像定着部１８は、トナーが転写された用紙を加熱及び加圧してトナーを用紙に定着させる定着処理を行う。
【００３５】
図３は、画像定着部１８の構成を示す模式図である。画像定着部１８は、定着ローラー（定着部材）１８３、加圧ローラー（加圧部材）１８４及び温度検出部１８５等を備える。画像定着部１８及び制御部１０により定着装置が構成される。
【００３６】
定着ローラー１８３は、その回転軸方向に延在するハロゲンランプヒーター１８６〜１８８を備える。ハロゲンランプヒーター１８６〜１８８は、制御部１０による制御下で通電することにより発熱する。また、定着ローラー１８３は、制御部１０による制御下で図示しないモーター等の回転駆動手段により駆動されて回転する。また、定着ローラー１８３には、定着ローラー１８３の温度を検出する温度検出部１８５が設けられている。温度検出部１８５は、定着ローラー１８３の温度を検出することができれば、一つ設けられていても良いし複数設けられていても良い。
【００３７】
図４は、定着ローラー１８３の内部構成を示す模式図である。
ハロゲンランプヒーター１８６〜１８８は、それぞれ筒部１８６ａ〜１８８ａ内にタングステン製のフィラメント１８６ｂ〜１８８ｂを備えて構成され、筒部１８６ａ〜１８８ａ内にはそれぞれ所定の濃度のハロゲンガスが封入されている。筒部１８６ａ〜１８８ａ内に封入されるハロゲンガスの濃度に基づき、各ハロゲンランプヒーター１８６〜１８８の基準電圧が設定されている。ここで、本発明において基準電圧とは、ハロゲンランプヒーターに印加されることで、ケミカルアタック等を生じさせることなく最も円滑にハロゲンサイクルを行わせることができる電圧であって、封入されるハロゲンガスの濃度に応じてハロゲンランプヒーター毎に設定されている値である。したがって、ハロゲンランプヒーターの基準電圧を下回る電圧が印加されるとハロゲンサイクルが円滑に行われずケミカルアタックが生じ得る。なお、ハロゲンランプヒーター１８６〜１８８はいずれも同一の定格電圧を有し、基準電圧のみが異なるものである。
【００３８】
また、ハロゲンランプヒーター１８６のフィラメント１８６ｂは、定着ローラー１８３の軸方向中央部のみを加熱するように構成され、ハロゲンランプヒーター１８７のフィラメント１８７ｂは、定着ローラー１８３の軸方向全体を加熱するように構成され、ハロゲンランプヒーター１８８のフィラメント１８８ｂは、定着ローラー１８３の軸方向端部のみを加熱するように構成されている。
【００３９】
図３に示すように、加圧ローラー１８４は、弾性部材（図示略）により定着ローラー１８３に近づく方向に付勢されて定着ローラー１８３に圧着され、定着ローラー１８３との間に定着ニップを形成しながら定着ローラー１８３の回転に伴って回転する。
なお、加圧ローラー１８４は、制御部１０による制御下で図示しないモーター等の回転駆動手段により駆動されて回転するものとしても良い。
【００４０】
定着ローラー１８３及び加圧ローラー１８４は、用紙Ｐを定着ニップで挟持して図３の矢印により示される搬送方向Ｒに搬送しながら用紙Ｐを加熱及び加圧する。これにより、定着ローラー１８３及び加圧ローラー１８４は、用紙Ｐ上のトナーを溶融させて定着させる。用紙Ｐと接触する際の定着ローラー１８３の温度は、例えば１８０℃以上２００℃以下の範囲とされる。したがって、ハロゲンランプヒーター１８６〜１８８は、定着ローラー１８３がこの温度となるように定着ローラー１８３を加熱する。
【００４１】
図１に示すように、搬送部１９は、用紙を挟持した状態で回転することで用紙を搬送する用紙搬送ローラーを複数備え、所定の搬送経路で用紙を搬送する。搬送部１９は、画像定着部１８により定着処理が行われた用紙の表裏を反転させて２次転写ローラー１７５へ搬送する反転機構１９１を備えている。画像形成装置１では、用紙の両面に画像を形成する場合に反転機構１９１による用紙の表裏の反転が行われて両面に画像が形成された後に用紙が排紙トレイ２３に排出される。用紙の片面にのみ画像を形成する場合には、反転機構１９１による用紙の表裏の反転が行われることなく片面に画像が形成された用紙が排紙トレイ２３に排出される。
【００４２】
次に、画像形成装置１におけるハロゲンランプヒーター１８６〜１８８の動作及び制御方法について説明する。
【００４３】
本実施形態においては、制御部１０は、ハロゲンランプヒーター１８６に対して温度検出部１８５により検出された温度に基づき出力Ｄｕｔｙを算出し、当該出力Ｄｕｔｙに従って交流波形の半波毎に通電又は遮断を行う半波制御を行い、ハロゲンランプヒーター１８７、１８８に対してオンオフ制御を行う。すなわち、ハロゲンランプヒーター１８６が第１ハロゲンランプヒーターを構成し、ハロゲンランプヒーター１８７、１８８が第２ハロゲンランプヒーターを構成する。
【００４４】
制御部１０は、交流電源（図示略）の電圧波形の半波毎に通電を制御する半波制御によりハロゲンランプヒーター１８６への印加電圧を制御する。ここで、半波とは、交流電源の電圧波形のうち当該波形の半周期分の長さを有し位相０度及び１８０度の位置で区分される波形をいう。
【００４５】
上記したように、ハロゲンランプヒーター１８６〜１８８には封入されたハロゲンガスの濃度に基づき基準電圧が設定されており、実効電圧が基準電圧を下回るとケミカルアタックが発生する。このため、通常のハロゲンランプヒーターにおいては、基準電圧が定格電圧と同じ値となるようにハロゲンガスの濃度が設定されており、制御部１０によりオンオフ制御が行われるハロゲンランプヒーター１８７、１８８については、基準電圧が定格電圧と同じ値に設定されている。一方、制御部１０により半波制御が行われるハロゲンランプヒーター１８６については、ハロゲンガスの濃度が低く設定されることで基準電圧が定格電圧未満の値に設定されている。つまり、ハロゲンランプヒーター１８６の基準電圧は、ハロゲンランプヒーター１８７、１８８の基準電圧よりも低く設定されている。ハロゲンランプヒーター１８６がこのように構成されていることで、半波制御が行われることにより実効電圧が定格電圧未満となっても基準電圧を下回ることを抑制でき、ケミカルアタックの発生を抑制することができる。
【００４６】
ここで、ハロゲンランプヒーター１８６〜１８８の基準電圧及びハロゲンガスの濃度の一例を表１に示す。
【００４７】
【表１】
0006288031.tif 000002
【００４８】
表１に示すように、半波制御が行われるハロゲンランプヒーター１８６において、定着ローラー１８３を所望の定着温度とするために出力する出力Ｄｕｔｙの範囲から算出した実効電圧が８０〜２００［Ｖ］であり、最も使用する頻度の高い実効電圧が１００［Ｖ］である場合、基準電圧以下の電圧を印加するとケミカルアタックが発生する可能性があるため、ハロゲンランプヒーター１８６の基準電圧は８０〜１００［Ｖ］のいずれかの値に設定されている。
【００４９】
ハロゲンランプヒーター１８６の基準電圧を８０［Ｖ］に設定した場合は、温度制御中に、実効電圧８０〜２００［Ｖ］に相当する出力Ｄｕｔｙの範囲を全て使用できる。また、基準電圧より過度に高い電圧を印加した場合に発生し得るハロゲンランプヒーターの黒化現象を抑制する観点から、基準電圧に比べて過度に高い値の電圧を印加しないように制御することが好ましい。なお、黒化現象とは、封入されるハロゲンガスの量が少ない状態において、フィラメントから気化したタングステンが、ハロゲンガスと結合することなく筒部の内面に析出する現象をいう。
また、ハロゲンランプヒーター１８６の基準電圧を１００［Ｖ］に設定した場合は、制御部１０は、８０［Ｖ］以上１００［Ｖ］未満に相当する出力Ｄｕｔｙを出力しないことが望ましい。制御部１０は、８０［Ｖ］以上１００［Ｖ］未満に相当する出力Ｄｕｔｙを出力せずに、定着ローラー１８３の温度が目標温度に近づくように、基準電圧である１００［Ｖ］の電圧に相当する出力Ｄｕｔｙを出力するか、又は、出力Ｄｕｔｙを０にする、すなわち、電圧を印加しない出力Ｄｕｔｙを出力する。これらのうちどちらの出力Ｄｕｔｙを出力するかの判定は、例えば、定着ローラー１８３の温度推移に基づき行うものとしても良い。この場合、定着ローラー１８３の温度推移が上昇傾向にある場合には電圧を印加しない出力Ｄｕｔｙを出力し、温度推移が下降傾向にある場合には１００［Ｖ］の電圧に相当する出力Ｄｕｔｙを出力する。
【００５０】
つまり、制御部１０は、温度検出部１８５により検出された定着ローラー１８３の温度と、予め設定された目標温度とにより、出力Ｄｕｔｙを算出し、算出された出力Ｄｕｔｙとハロゲンランプヒーター１８６の定格電圧とから実効電圧を算出し、算出された実効電圧がハロゲンランプヒーター１８６の基準電圧よりも高い場合、算出された出力Ｄｕｔｙでの半波制御を行い、算出された実効電圧がハロゲンランプヒーター１８６の基準電圧よりも低い場合、温度検出部１８５により検出された温度変化に基づいて、当該温度変化が上昇傾向か下降傾向かを判断し、上昇傾向の場合には、出力Ｄｕｔｙを０とし、下降傾向の場合には、ハロゲンランプヒーター１８６の基準電圧に相当する出力Ｄｕｔｙでの半波制御を行う。
【００５１】
制御部１０によりハロゲンランプヒーター１８６に対して行われる温度制御処理の一例について、図５を参照して具体的に説明する。
図５は、ハロゲンランプヒーター１８６に対して行われる温度制御処理の一例を示すフローチャートである。なお、制御部１０は、ハロゲンランプヒーター１８７、１８８に対しては通常のオンオフ制御を行うためその説明を省略する。
【００５２】
まず、制御部１０は、温度検出部１８５により定着ローラー１８３の温度を検出する（ステップＳ１０１）。なお、制御部１０は、温度検出部１８５による定着ローラー１８３の温度検出をリアルタイムで行い、ステップＳ１０１以降の各処理においても継続して行うものである。
【００５３】
次に、制御部１０は、予め設定された目標温度と、ステップＳ１０１の処理で検出された検出温度とから出力Ｄｕｔｙを算出する（ステップＳ１０２）。
【００５４】
次に、制御部１０は、ステップＳ１０２で算出した出力Ｄｕｔｙと、ハロゲンランプヒーター１８６の定格電圧から実効電圧を算出する（ステップＳ１０３）。
【００５５】
次に、制御部１０は、ステップＳ１０３で算出した実効電圧がハロゲンランプヒーター１８６の基準電圧以上であるか否かを判定する（ステップＳ１０４）。ハロゲンランプヒーター１８６の基準電圧はハロゲンランプヒーター製造時に予め設定されており、記憶部１１やＲＡＭ１０２等に記憶されている。
【００５６】
実効電圧がハロゲンランプヒーター１８６の基準電圧以上であると判定されると（ステップＳ１０４；ＹＥＳ）、制御部１０は、ステップＳ１０２で算出した出力Ｄｕｔｙを出力する（ステップＳ１０５）。例えば、ハロゲンランプヒーター１８６の基準電圧が８０［Ｖ］であり、算出された実効電圧が１００［Ｖ］であった場合には、ケミカルアタックが起きないと考えられるため、制御部１０は算出した出力Ｄｕｔｙを出力して、ハロゲンランプヒーター１８６に１００Ｖの電圧を印加する。
【００５７】
一方、実効電圧がハロゲンランプヒーター１８６の基準電圧よりも低いと判定されると（ステップＳ１０４；ＮＯ）、制御部１０は、定着ローラー１８３の温度が上昇傾向にあるか否かを判定する（ステップＳ１０６）。具体的には、制御部１０は、温度検出部１８５によりリアルタイムで検出している定着ローラー１８３の温度推移に基づいて、定着ローラー１８３の温度が上昇傾向にあるか下降傾向であるかを判定する。
【００５８】
定着ローラー１８３の温度が上昇傾向にあると判定されると（ステップＳ１０６；ＹＥＳ）、制御部１０は、出力Ｄｕｔｙを０にする、すなわちハロゲンランプヒーター１８６に電圧を印加しない出力Ｄｕｔｙを出力する（ステップＳ１０７）。これにより、実効電圧が基準電圧を下回る場合であっても、ハロゲンランプヒーター１８６がオフ状態となり、ケミカルアタックの発生を防止することができる。
【００５９】
定着ローラー１８３の温度が下降傾向にあると判定されると（ステップＳ１０６；ＮＯ）、制御部１０は、基準電圧に相当する出力Ｄｕｔｙを出力する（ステップＳ１０８）。これにより、実効電圧が基準電圧を下回る場合であっても、ハロゲンランプヒーター１８６に基準電圧に相当する電圧を印加できるためケミカルアタックの発生を防止することができる。
【００６０】
次に、制御部１０は、温度制御を終了するか否かを判定する（ステップＳ１０９）。具体的には、制御部１０は、画像形成部１７による画像形成処理が終了した場合には、温度制御を終了すると判定し、画像形成処理が終了していない場合には、温度制御を終了しないと判定する。温度制御を終了しないと判定されると（ステップＳ１０９；ＮＯ）、制御部１０は、ステップＳ１０１〜Ｓ１０８の処理を再び行う。温度制御を終了すると判定されると（ステップＳ１０９；ＹＥＳ）、制御部１０は、ハロゲンランプヒーター１８６の温度制御処理を終了する。
【００６１】
以上、上記した実施形態によれば、定着ローラー１８３と、定着ローラー１８３に圧接される加圧ローラー１８４と、定着ローラー１８３を加熱する複数のハロゲンランプヒーター１８６〜１８８と、を備える定着装置が、定着ローラー１８３の温度を検出する温度検出部１８５と、ハロゲンランプヒーター１８６に対して、温度検出部１８５により検出された温度に基づき出力Ｄｕｔｙを算出し、当該出力Ｄｕｔｙに従って交流波形の半波毎に通電又は遮断を行う半波制御を行い、ハロゲンランプヒーター１８７、１８８に対して、オンオフ制御を行う制御部１０と、を備え、ハロゲンランプヒーター１８６〜１８８は、封入されるハロゲンガスの濃度に基づき設定される基準電圧が「ハロゲンランプヒーター１８６の基準電圧＜ハロゲンランプヒーター１８７、１８８の基準電圧」を満たすので、半波制御が行われるハロゲンランプヒーター１８６の基準電圧が低く設定されて、実効電圧が基準電圧を下回ることを抑制できる。これにより、ハロゲンランプヒーターに対して半波制御を行う場合において、ケミカルアタックの発生を好適に抑制することができる。
【００６２】
また、制御部１０は、温度検出部１８５により検出された定着ローラー１８３の温度と、予め設定された目標温度とにより、出力Ｄｕｔｙを算出し、算出された出力Ｄｕｔｙとハロゲンランプヒーター１８６の定格電圧とから実効電圧を算出し、算出された実効電圧がハロゲンランプヒーター１８６の基準電圧よりも高い場合、算出された出力Ｄｕｔｙでの半波制御を行い、算出された実効電圧がハロゲンランプヒーター１８６の基準電圧よりも低い場合、温度検出部１８５により検出された温度変化に基づいて、当該温度変化が上昇傾向か下降傾向かを判断し、上昇傾向の場合には、出力Ｄｕｔｙを０とし、下降傾向の場合には、ハロゲンランプヒーター１８６の基準電圧に相当する出力Ｄｕｔｙでの半波制御を行うので、ハロゲンランプヒーター１８６において実効電圧が基準電圧を下回ったとしても、ケミカルアタックの発生を抑制することができる。
【００６３】
なお、上記実施形態においては、定着装置が、第１ハロゲンランプヒーターを構成するハロゲンランプヒーター（ハロゲンランプヒーター１８６）を１本、第２ハロゲンランプヒーターを構成するハロゲンランプヒーター（ハロゲンランプヒーター１８７、１８８）を２本有するものとしたが、これに限られるものではない。例えば、第１ハロゲンランプヒーターを構成するハロゲンランプヒーターを２本以上有していても良いし、第２ハロゲンランプヒーターを構成するハロゲンランプヒーターを１本又は３本以上有していても良い。
【００６４】
［変形例１］
上記した実施形態の画像形成装置１の変形例１について説明する。
変形例１の画像形成装置１は、上記実施形態の画像形成装置１と略同様に構成されているが次の点で異なる。すなわち、変形例１の画像形成装置１においては、制御部１０が、ハロゲンランプヒーター１８６、１８８に対して上記半波制御を行い、ハロゲンランプヒーター１８７に対してオンオフ制御を行う。
【００６５】
変形例１においては、制御部１０は、定着ローラー１８３の軸方向端部を加熱するハロゲンランプヒーター１８８と、定着ローラー１８３の軸方向中央部を加熱するハロゲンランプヒーター１８６とに対して、温度検出部１８５により検出された温度に基づき出力Ｄｕｔｙを算出し、当該出力Ｄｕｔｙに従って交流波形の半波毎に通電又は遮断を行う半波制御を行う。すなわち、変形例１においては、ハロゲンランプヒーター１８６が中央部ハロゲンランプヒーターを構成し、ハロゲンランプヒーター１８８が端部ハロゲンランプヒーターを構成する。なお、変形例１においては、制御部１０は、ハロゲンランプヒーター１８７に対してはオンオフ制御を行う。
【００６６】
制御部１０によりオンオフ制御が行われるハロゲンランプヒーター１８７については、基準電圧が定格電圧と同じ値に設定されている。一方、制御部１０により半波制御が行われるハロゲンランプヒーター１８６、１８８については、ハロゲンガスの濃度が低く設定されることで基準電圧が定格電圧未満の値に設定されている。ハロゲンランプヒーター１８６、１８８がこのように構成されていることで、半波制御が行われることにより実効電圧が定格電圧未満となっても基準電圧を下回ることを抑制でき、ケミカルアタックの発生を抑制することができる。
ここで、定着ローラー１８３の軸方向端部を加熱するハロゲンランプヒーター１８８と、定着ローラー１８３の軸方向中央部を加熱するハロゲンランプヒーター１８６とでは、画像形成開始時までの昇温のためには同程度の加熱が必要であるが、画像形成中には紙種や紙サイズにもよるがその加熱量はハロゲンランプヒーター１８６よりもハロゲンランプヒーター１８８の方が小さい。両者に対して半波制御を行う場合、ハロゲンランプヒーター１８８の方が必要とする出力Ｄｕｔｙが小さくなるため、ハロゲンランプヒーター１８６、１８８の基準電圧を同一に構成すると、ハロゲンランプヒーター１８８においてケミカルアタックが発生するおそれがある。したがって、変形例１のハロゲンランプヒーター１８６、１８８は、ハロゲンランプヒーター１８８の基準電圧がハロゲンランプヒーター１８６の基準電圧より低く構成されており、これによりハロゲンランプヒーター１８８において実効電圧が基準電圧を下回ることをより確実に抑制して、ケミカルアタックを効果的に抑制することができる。例えば、変形例１のハロゲンランプヒーター１８６〜１８８の基準電圧及びハロゲンガスの濃度は表２に示すように設定されている。
【００６７】
【表２】
0006288031.tif 000003
【００６８】
また、変形例１の制御部１０は、温度検出部１８５により検出された定着ローラー１８３の温度と、予め設定された目標温度とにより、出力Ｄｕｔｙを算出し、算出された前記出力Ｄｕｔｙと、ハロゲンランプヒーター１８８又はハロゲンランプヒーター１８６の定格電圧とから実効電圧を算出し、算出された実効電圧がハロゲンランプヒーター１８８又はハロゲンランプヒーター１８６の基準電圧よりも高い場合、算出された出力Ｄｕｔｙでの半波制御を行い、算出された実効電圧がハロゲンランプヒーター１８８又はハロゲンランプヒーター１８６の基準電圧よりも低い場合、温度検出部１８５により検出された温度変化に基づいて、当該温度変化が上昇傾向か下降傾向かを判断し、上昇傾向の場合には、出力Ｄｕｔｙを０とし、下降傾向の場合には、ハロゲンランプヒーター１８８又はハロゲンランプヒーター１８６の基準電圧に相当する出力Ｄｕｔｙでの半波制御を行う。具体的には、制御部１０は、ハロゲンランプヒーター１８６、１８８のそれぞれに対して、上記実施形態と同様に、例えば図５に示す温度制御処理を行う。
【００６９】
以上、上記した変形例１によれば、定着ローラー１８３と、定着ローラー１８３に圧接される加圧ローラー１８４と、定着ローラー１８３を加熱する複数のハロゲンランプヒーター１８６〜１８８と、を備える定着装置が、定着ローラー１８３の温度を検出する温度検出部１８５と、定着ローラー１８３の軸方向端部を加熱するハロゲンランプヒーター１８８と、定着ローラー１８３の軸方向中央部を加熱するハロゲンランプヒーター１８６とに対して、温度検出部１８５により検出された温度に基づき出力Ｄｕｔｙを算出し、当該出力Ｄｕｔｙに従って交流波形の半波毎に通電又は遮断を行う半波制御を行う制御部１０と、を備え、ハロゲンランプヒーター１８８及びハロゲンランプヒーター１８６は、封入されるハロゲンガスの濃度に基づき設定される基準電圧が、定格電圧より低く、かつ、「ハロゲンランプヒーター１８８の基準電圧＜ハロゲンランプヒーター１８６の基準電圧」を満たすので、半波制御が行われるハロゲンランプヒーター１８６、１８８の基準電圧が低く設定されて、実効電圧が基準電圧を下回ることを抑制できる。これにより、ハロゲンランプヒーターに対して半波制御を行う場合において、ケミカルアタックの発生を好適に抑制することができる。また、ハロゲンランプヒーター１８８にはハロゲンランプヒーター１８６よりも低い出力Ｄｕｔｙが使用される頻度が高いため、ハロゲンランプヒーター１８８の基準電圧がハロゲンランプヒーター１８６よりも低く設定されていることで、ハロゲンランプヒーター１８８において実効電圧が基準電圧を下回ることをより確実に抑制し、ケミカルアタックを効果的に抑制することができる。
【００７０】
また、制御部１０は、温度検出部１８５により検出された定着ローラー１８３の温度と、予め設定された目標温度とにより、出力Ｄｕｔｙを算出し、算出された出力Ｄｕｔｙと、ハロゲンランプヒーター１８８又はハロゲンランプヒーター１８６の定格電圧とから実効電圧を算出し、算出された実効電圧がハロゲンランプヒーター１８８又はハロゲンランプヒーター１８６の基準電圧よりも高い場合、算出された出力Ｄｕｔｙでの半波制御を行い、算出された実効電圧がハロゲンランプヒーター１８８又はハロゲンランプヒーター１８６の基準電圧よりも低い場合、温度検出部１８５により検出された温度変化に基づいて、当該温度変化が上昇傾向か下降傾向かを判断し、上昇傾向の場合には、出力Ｄｕｔｙを０とし、下降傾向の場合には、ハロゲンランプヒーター１８８又はハロゲンランプヒーター１８６の基準電圧に相当する出力Ｄｕｔｙでの半波制御を行うので、ハロゲンランプヒーター１８６、１８８において実効電圧が基準電圧を下回ったとしても、ケミカルアタックの発生を抑制することができる。
【００７１】
なお、変形例１においては、定着装置が、制御部１０によりオンオフ制御が行われるハロゲンランプヒーター１８７を有するものとしたが、当該ハロゲンランプヒーター１８７を有していなくても良い。すなわち、変形例１の定着装置は、制御部１０により半波制御が行われるハロゲンランプヒーターのみを備えるものとしても良い。
また、変形例１においては、定着装置が、中央部ハロゲンランプヒーターを構成するハロゲンランプヒーター（ハロゲンランプヒーター１８６）を１本、端部ハロゲンランプヒーターを構成するハロゲンランプヒーター（ハロゲンランプヒーター１８８）を１本有するものとしたが、これに限られるものではない。例えば、中央部ハロゲンランプヒーターを構成するハロゲンランプヒーターを２本以上有していても良いし、端部ハロゲンランプヒーターを構成するハロゲンランプヒーターを２本以上有していても良い。
【００７２】
［変形例２］
上記した実施形態の画像形成装置１の変形例２について説明する。
変形例２の画像形成装置１は、上記実施形態の画像形成装置１と略同様に構成されているが次の点で異なる。すなわち、変形例２の画像形成装置１においては、制御部１０が、ハロゲンランプヒーター１８６、１８７に対して上記半波制御を行い、ハロゲンランプヒーター１８８に対してオンオフ制御を行う。
【００７３】
変形例２においては、制御部１０は、定着ローラー１８３の軸方向において互いに重複して加熱する領域を有するハロゲンランプヒーター１８６及びハロゲンランプヒーター１８７に対して、温度検出部１８５により検出された温度に基づき出力Ｄｕｔｙを算出し、当該出力Ｄｕｔｙに従って交流波形の半波毎に通電又は遮断を行う半波制御を行う。すなわち、変形例２においては、ハロゲンランプヒーター１８６が第３ハロゲンランプヒーターを構成し、ハロゲンランプヒーター１８７が第４ハロゲンランプヒーターを構成する。なお、変形例２においては、制御部１０は、ハロゲンランプヒーター１８８に対してはオンオフ制御を行う。
【００７４】
制御部１０によりオンオフ制御が行われるハロゲンランプヒーター１８８については、基準電圧が定格電圧と同じ値に設定されている。一方、制御部１０により半波制御が行われるハロゲンランプヒーター１８６、１８７については、ハロゲンガスの濃度が低く設定されることで基準電圧が定格電圧未満の値に設定されている。ハロゲンランプヒーター１８６、１８７がこのように構成されていることで、半波制御が行われることにより実効電圧が定格電圧未満となっても基準電圧を下回ることを抑制でき、ケミカルアタックの発生を抑制することができる。
ここで、定着ローラー１８３の軸方向において互いに重複して加熱する領域を有するハロゲンランプヒーター１８６、１８７は、必要な加熱量が異なるため、最も頻繁に出力する出力Ｄｕｔｙが異なる。このため、両者に対して半波制御を行う場合、ハロゲンランプヒーター１８６、１８７の基準電圧を同一に構成すると、ハロゲンランプヒーター１８６においてケミカルアタックが発生するおそれがある。したがって、変形例２のハロゲンランプヒーター１８６、１８７は、最も頻繁に出力する出力Ｄｕｔｙが小さいハロゲンランプヒーター１８６の基準電圧が、ハロゲンランプヒーター１８７の基準電圧より低く構成されている。これにより、ハロゲンランプヒーター１８６において実効電圧が基準電圧を下回ることをより確実に抑制し、ケミカルアタックを効果的に抑制することができる。例えば、変形例２のハロゲンランプヒーター１８６〜１８８の基準電圧及びハロゲンガスの濃度は表３に示すように設定されている。
【００７５】
なお、定着ローラー１８３の設定温度（定着温度）は、例えば１８０〜２００℃等、画像形成装置毎に定められ、画像形成の条件や用紙の種類に応じて大きく変動するものではない。このため、各ハロゲンランプヒーターの「最も頻繁に出力する出力Ｄｕｔｙ」は、各ハロゲンランプヒーター製造時にハロゲンランプヒーター毎に予め設定されているものである。
【００７６】
【表３】
0006288031.tif 000004
【００７７】
また、変形例２の制御部１０は、温度検出部１８５により検出された定着ローラー１８３の温度と、予め設定された目標温度とにより、前記出力Ｄｕｔｙを算出し、算出された出力Ｄｕｔｙと、ハロゲンランプヒーター１８６又はハロゲンランプヒーター１８７の定格電圧とから実効電圧を算出し、算出された実効電圧がハロゲンランプヒーター１８６又はハロゲンランプヒーター１８７の基準電圧よりも高い場合、算出された出力Ｄｕｔｙでの半波制御を行い、算出された実効電圧がハロゲンランプヒーター１８６又はハロゲンランプヒーター１８７の基準電圧よりも低い場合、温度検出部１８５により検出された温度変化に基づいて、当該温度変化が上昇傾向か下降傾向かを判断し、上昇傾向の場合には、出力Ｄｕｔｙを０とし、下降傾向の場合には、ハロゲンランプヒーター１８６又はハロゲンランプヒーター１８７の基準電圧に相当する出力Ｄｕｔｙでの半波制御を行う。具体的には、制御部１０は、ハロゲンランプヒーター１８６、１８７のそれぞれに対して、上記実施形態と同様に、例えば図５に示す温度制御処理を行う。
【００７８】
以上、上記した変形例２によれば、定着ローラー１８３と、定着ローラー１８３に圧接される加圧ローラー１８４と、定着ローラー１８３を加熱する複数のハロゲンランプヒーター１８６〜１８８と、を備える定着装置が、定着ローラー１８３の温度を検出する温度検出部１８５と、定着ローラー１８３の軸方向において互いに重複して加熱する領域を有するハロゲンランプヒーター１８６、１８７に対して、温度検出部１８５により検出された温度に基づき出力Ｄｕｔｙを算出し、当該出力Ｄｕｔｙに従って交流波形の半波毎に通電又は遮断を行う半波制御を行う制御部１０と、を備え、ハロゲンランプヒーター１８６において最も頻繁に出力する出力Ｄｕｔｙが、ハロゲンランプヒーター１８７において最も頻繁に出力する出力Ｄｕｔｙよりも小さい場合、ハロゲンランプヒーター１８６、１８７に封入されるハロゲンガスの濃度に基づき設定される基準電圧が、定格電圧より低く、かつ、「ハロゲンランプヒーター１８６の基準電圧＜ハロゲンランプヒーター１８７の基準電圧」を満たすので、半波制御が行われるハロゲンランプヒーター１８６、１８７の基準電圧が低く設定されて、実効電圧が基準電圧を下回ることを抑制できる。これにより、ハロゲンランプヒーターに対して半波制御を行う場合において、ケミカルアタックの発生を好適に抑制することができる。また、ハロゲンランプヒーター１８６において最も頻繁に出力する出力Ｄｕｔｙがハロゲンランプヒーター１８７において最も頻繁に出力する出力Ｄｕｔｙよりも小さい場合に、ハロゲンランプヒーター１８６の基準電圧がハロゲンランプヒーター１８７よりも低く設定されていることで、ハロゲンランプヒーター１８６において実効電圧が基準電圧を下回ることをより確実に抑制し、ケミカルアタックを効果的に抑制することができる。
【００７９】
また、制御部１０は、温度検出部１８５により検出された定着ローラー１８３の温度と、予め設定された目標温度とにより、出力Ｄｕｔｙを算出し、算出された出力Ｄｕｔｙと、ハロゲンランプヒーター１８６又はハロゲンランプヒーター１８７の定格電圧とから実効電圧を算出し、算出された実効電圧がハロゲンランプヒーター１８６又はハロゲンランプヒーター１８７の基準電圧よりも高い場合、算出された出力Ｄｕｔｙでの半波制御を行い、算出された実効電圧がハロゲンランプヒーター１８６又はハロゲンランプヒーター１８７の基準電圧よりも低い場合、温度検出部１８５により検出された温度変化に基づいて、当該温度変化が上昇傾向か下降傾向かを判断し、上昇傾向の場合には、出力Ｄｕｔｙを０とし、下降傾向の場合には、ハロゲンランプヒーター１８６又はハロゲンランプヒーター１８７の基準電圧に相当する出力Ｄｕｔｙでの半波制御を行うので、ハロゲンランプヒーター１８６、１８７において実効電圧が基準電圧を下回ったとしても、ケミカルアタックの発生を抑制することができる。
【００８０】
なお、変形例２においては、定着装置が、制御部１０によりオンオフ制御が行われるハロゲンランプヒーター１８８を有するものとしたが、当該ハロゲンランプヒーター１８８を有していなくても良い。すなわち、変形例２の定着装置は、制御部１０により半波制御が行われるハロゲンランプヒーターのみを備えるものとしても良い。
また、変形例２においては、定着装置が、第３ハロゲンランプヒーターを構成するハロゲンランプヒーター（ハロゲンランプヒーター１８６）を１本、第４ハロゲンランプヒーターを構成するハロゲンランプヒーター（ハロゲンランプヒーター１８７）を１本有するものとしたが、これに限られるものではない。例えば、第３ハロゲンランプヒーターを構成するハロゲンランプヒーターを２本以上有していても良いし、第４ハロゲンランプヒーターを構成するハロゲンランプヒーターを２本以上有していても良い。
【００８１】
上記した実施形態及び変形例は本発明の好適な一例であり、これに限定されない。本発明の主旨を逸脱しない範囲で適宜変更可能である。
【００８２】
例えば、上記した実施形態及び変形例では、定着ローラー１８３が３本のハロゲンランプヒーター１８６〜１８８を備えているものとしたが、これに限られるものではない。定着ローラー１８３が備えるハロゲンランプヒーターは、２本であっても良いし４本以上であっても良い。
【００８３】
また、上記した実施形態及び変形例では、加圧ローラー１８４がハロゲンランプヒーターを有していないものとしたが、加圧ローラー１８４がハロゲンランプヒーター１８６〜１８８のうちのいずれかを有していても良いし、ハロゲンランプヒーター１８６〜１８８とは別のハロゲンランプヒーターを有していても良い。
【００８４】
また、上記した実施形態及び変形例では、画像形成装置１が、感光体上のトナー像を転写体に順次転写するカラー画像形成装置であるものとしたが、各色毎の複数像担持体を中間転写体上に直列配置させたタンデム型カラー画像形成装置であっても良いし、単色のトナーで画像形成を行うモノクロ画像形成装置であっても良い。
【００８５】
また、上記した実施形態及び変形例では、記録媒体として用紙を用いる例を挙げて説明したが、記録媒体としては、普通紙や塗工紙といった用紙のほか、布帛又はシート状の樹脂等、表面に付着した色材を定着させることが可能な種々の媒体を用いることができる。
【００８６】
また、上記した実施形態及び変形例では、定着ローラー１８３と加圧ローラー１８４とが用紙Ｐを挟持するものとしたが、定着ローラー１８３に定着ベルトが張架され、当該定着ベルトを介して加圧ローラー１８４との間に用紙Ｐを挟持するように構成されていても良い。
【符号の説明】
【００８７】
１      画像形成装置
１０    制御部
１８    画像定着部
１８３  定着ローラー（定着部材）
１８４  加圧ローラー（加圧部材）
１８５  温度検出部
１８６〜１８８  ハロゲンランプヒーター
【図１】
0006288031.tif 000005
【図２】
0006288031.tif 000006
【図３】
0006288031.tif 000007
【図４】
0006288031.tif 000008
【図５】
0006288031.tif 000009